【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
画像表示装置であって、
前記画像表示装置である第１の表示装置が他の画像表示装置である第２の表示装置から独立して画像を表示する第１の構成と、前記第１の表示装置が部分画像を表示し、前記第２の表示装置が表示する部分画像とともに統合画像を表示する第２の構成とのいずれかを設定する設定手段と、
前記第２の表示装置と通信を行う通信手段と、
を有し、
前記通信手段は、前記第１の構成から前記第２の構成へと変更するためのユーザ操作に応じて、前記第２の表示装置に対して、前記第２の表示装置を前記第２の構成に設定するための通知を行う
ことを特徴とする画像表示装置。
【請求項２】
前記第２の構成において、前記設定手段は、前記第１の表示装置が表示すべき前記部分画像の前記統合画像に対する相対位置に関する位置情報を設定する
ことを特徴とする請求項１に記載の画像表示装置。
【請求項３】
前記第２の構成において、前記設定手段は、前記統合画像における複数の部分画像のレイアウトに関するレイアウト情報を設定する
ことを特徴とする請求項１または２に記載の画像表示装置。
【請求項４】
前記設定手段は、前記第１の構成で表示するのか、前記第２の構成で表示するのかを示す情報を設定する
ことを特徴とする請求項１ないし３のいずれか１項に記載の画像表示装置。
【請求項５】
前記第２の構成において、前記通信手段は、前記第２の表示装置が表示すべき前記部分画像の前記統合画像に対する相対位置に関する位置情報を通知する
ことを特徴とする請求項１ないし４のいずれか１項に記載の画像表示装置。
【請求項６】
前記第２の構成において、前記通信手段は、前記統合画像における複数の部分画像のレイアウト情報を通知する
ことを特徴とする請求項１ないし５のいずれか１項に記載の画像表示装置。
【請求項７】
前記通信手段は、前記第１の構成で表示するのか、前記第２の構成で表示するのかを示す情報を通知する
ことを特徴とする請求項１ないし６のいずれか１項に記載の画像表示装置。
【請求項８】
前記第１の表示装置は、画像データを取得する複数の取得部を有し、
前記設定手段は、表示用の画像データを取得する取得部を前記複数の取得部の間で切り替えるためのユーザ操作に応じて、前記第１の構成と前記第２の構成との間で設定を変更する
ことを特徴とする請求項１ないし７のいずれか１項に記載の画像表示装置。
【請求項９】
前記第１の表示装置は、画像データを取得する複数の取得部を有し、
前記通信手段は、表示用の画像データを取得する取得部を前記複数の取得部の間で切り替えるためのユーザ操作に応じて、前記第２の表示装置に対して、前記第１の構成と前記第２の構成との間で設定を変更するための通知を行う
ことを特徴とする請求項１ないし８のいずれか１項に記載の画像表示装置。
【請求項１０】
画像表示装置の制御方法であって、
前記画像表示装置である第１の表示装置が他の画像表示装置である第２の表示装置から独立して画像を表示する第１の構成と、前記第１の表示装置が部分画像を表示し、前記第２の表示装置が表示する部分画像とともに統合画像を表示する第２の構成とのいずれかを設定する設定ステップと、
前記第２の表示装置と通信を行う通信ステップと、
を有し、
前記通信ステップでは、前記第１の構成から前記第２の構成へと変更するためのユーザ操作に応じて、前記第２の表示装置に対して、前記第２の表示装置を前記第２の構成に設定するための通知を行う
ことを特徴とする制御方法。
【請求項１１】
画像表示装置の制御方法の各ステップをコンピュータに実行させるためのプログラムであって、
前記制御方法は、
前記画像表示装置である第１の表示装置が他の画像表示装置である第２の表示装置から独立して画像を表示する第１の構成と、前記第１の表示装置が部分画像を表示し、前記第２の表示装置が表示する部分画像とともに統合画像を表示する第２の構成とのいずれかを設定する設定ステップと、
前記第２の表示装置と通信を行う通信ステップと、
を有し、
前記通信ステップでは、前記第１の構成から前記第２の構成へと変更するためのユーザ操作に応じて、前記第２の表示装置に対して、前記第２の表示装置を前記第２の構成に設定するための通知を行う
ことを特徴とするプログラム。
【請求項１２】
前記第２の構成において、前記設定ステップでは、前記第１の表示装置が表示すべき前記部分画像の前記統合画像に対する相対位置に関する位置情報を設定する
ことを特徴とする請求項１１に記載のプログラム。
【請求項１３】
前記第２の構成において、前記設定ステップでは、前記統合画像における複数の部分画像のレイアウトに関するレイアウト情報を設定する
ことを特徴とする請求項１１または１２に記載のプログラム。
【請求項１４】
前記設定ステップでは、前記第１の構成で表示するのか、前記第２の構成で表示するのかを示す情報を設定する
ことを特徴とする請求項１１ないし１３のいずれか１項に記載のプログラム。
【請求項１５】
前記第２の構成において、前記通信ステップでは、前記第２の表示装置が表示すべき前記部分画像の前記統合画像に対する相対位置に関する位置情報を通知する
ことを特徴とする請求項１１ないし１４のいずれか１項に記載のプログラム。
【請求項１６】
前記第２の構成において、前記通信ステップでは、前記統合画像における複数の部分画像のレイアウト情報を通知する
ことを特徴とする請求項１１ないし１５のいずれか１項に記載のプログラム。
【請求項１７】
前記通信ステップでは、前記第１の構成で表示するのか、前記第２の構成で表示するのかを示す情報を通知する
ことを特徴とする請求項１１ないし１６のいずれか１項に記載のプログラム。
【請求項１８】
前記第１の表示装置は、画像データを取得する複数の取得部を有し、
前記設定ステップでは、表示用の画像データを取得する取得部を前記複数の取得部の間で切り替えるためのユーザ操作に応じて、前記第１の構成と前記第２の構成との間で設定を変更する
ことを特徴とする請求項１１ないし１７のいずれか１項に記載のプログラム。
【請求項１９】
前記第１の表示装置は、画像データを取得する複数の取得部を有し、
前記通信ステップでは、表示用の画像データを取得する取得部を前記複数の取得部の間で切り替えるためのユーザ操作に応じて、前記第２の表示装置に対して、前記第１の構成と前記第２の構成との間で設定を変更するための通知を行う
ことを特徴とする請求項１１ないし１８のいずれか１項に記載のプログラム。
【請求項２０】
画像表示装置の制御方法の各ステップをコンピュータに実行させるためのプログラムを格納したコンピュータが読み取り可能な記憶媒体であって、
前記制御方法は、
前記画像表示装置である第１の表示装置が他の画像表示装置である第２の表示装置から独立して画像を表示する第１の構成と、前記第１の表示装置が部分画像を表示し、前記第２の表示装置が表示する部分画像とともに統合画像を表示する第２の構成とのいずれかを設定する設定ステップと、
前記第２の表示装置と通信を行う通信ステップと、
を有し、
前記通信ステップでは、前記第１の構成から前記第２の構成へと変更するためのユーザ操作に応じて、前記第２の表示装置に対して、前記第２の表示装置を前記第２の構成に設定するための通知を行う
ことを特徴とする記憶媒体。
【手続補正２】
【補正対象書類名】明細書
【補正対象項目名】発明の名称
【補正方法】変更
【補正の内容】
【発明の名称】画像表示装置、制御方法、プログラム、及び、記憶媒体
【手続補正３】
【補正対象書類名】明細書
【補正対象項目名】０００１
【補正方法】変更
【補正の内容】
【０００１】
本発明は、画像表示装置、制御方法、プログラム、及び、記憶媒体に関する。 
【手続補正４】
【補正対象書類名】明細書
【補正対象項目名】０００９
【補正方法】変更
【補正の内容】
【０００９】
本発明の第１の態様は、
画像表示装置であって、
前記画像表示装置である第１の表示装置が他の画像表示装置である第２の表示装置から独立して画像を表示する第１の構成と、前記第１の表示装置が部分画像を表示し、前記第２の表示装置が表示する部分画像とともに統合画像を表示する第２の構成とのいずれかを設定する設定手段と、
前記第２の表示装置と通信を行う通信手段と、
を有し、
前記通信手段は、前記第１の構成から前記第２の構成へと変更するためのユーザ操作に応じて、前記第２の表示装置に対して、前記第２の表示装置を前記第２の構成に設定するための通知を行う
ことを特徴とする画像表示装置である。 
【手続補正５】
【補正対象書類名】明細書
【補正対象項目名】００１０
【補正方法】変更
【補正の内容】
【００１０】
本発明の第２の態様は、
画像表示装置の制御方法であって、
前記画像表示装置である第１の表示装置が他の画像表示装置である第２の表示装置から独立して画像を表示する第１の構成と、前記第１の表示装置が部分画像を表示し、前記第２の表示装置が表示する部分画像とともに統合画像を表示する第２の構成とのいずれかを設定する設定ステップと、
前記第２の表示装置と通信を行う通信ステップと、
を有し、
前記通信ステップでは、前記第１の構成から前記第２の構成へと変更するためのユーザ操作に応じて、前記第２の表示装置に対して、前記第２の表示装置を前記第２の構成に設定するための通知を行う
ことを特徴とする制御方法である。 
【手続補正６】
【補正対象書類名】明細書
【補正対象項目名】００１１
【補正方法】変更
【補正の内容】
【００１１】
本発明の第３の態様は、
画像表示装置の制御方法の各ステップをコンピュータに実行させるためのプログラムで
あって、
前記制御方法は、
前記画像表示装置である第１の表示装置が他の画像表示装置である第２の表示装置から独立して画像を表示する第１の構成と、前記第１の表示装置が部分画像を表示し、前記第２の表示装置が表示する部分画像とともに統合画像を表示する第２の構成とのいずれかを設定する設定ステップと、
前記第２の表示装置と通信を行う通信ステップと、
を有し、
前記通信ステップでは、前記第１の構成から前記第２の構成へと変更するためのユーザ操作に応じて、前記第２の表示装置に対して、前記第２の表示装置を前記第２の構成に設定するための通知を行う
ことを特徴とするプログラムである。 
【手続補正７】
【補正対象書類名】明細書
【補正対象項目名】００１２
【補正方法】変更
【補正の内容】
【００１２】
本発明の第４の態様は、
画像表示装置の制御方法の各ステップをコンピュータに実行させるためのプログラムを格納したコンピュータが読み取り可能な記憶媒体であって、
前記制御方法は、
前記画像表示装置である第１の表示装置が他の画像表示装置である第２の表示装置から独立して画像を表示する第１の構成と、前記第１の表示装置が部分画像を表示し、前記第２の表示装置が表示する部分画像とともに統合画像を表示する第２の構成とのいずれかを設定する設定ステップと、
前記第２の表示装置と通信を行う通信ステップと、
を有し、
前記通信ステップでは、前記第１の構成から前記第２の構成へと変更するためのユーザ操作に応じて、前記第２の表示装置に対して、前記第２の表示装置を前記第２の構成に設定するための通知を行う
ことを特徴とする記憶媒体である。 
【手続補正８】
【補正対象書類名】明細書
【補正対象項目名】００１３
【補正方法】削除
【補正の内容】